(57)【要約】【課題】  水平回転する円板状武器を有する自動走行玩具車を、下部車体と上部車体と円板状武器との三部材で、組立ておよび分解が容易に形成した。【解決手段】  車輪付きの走行可能な下部車体Ａと上部車体Ｂとを、各後部間に設けたスペーサを介して着脱自在に連結すると共に、そのスペーサ前方の上記両車体間に、下部車体Ａ前部から起立する縦軸７上部へ固着させた回転輪21を位置させ、又該回転輪の軸線上方部分を、上部車体Ｂ前部下面で着脱自在に軸支させ、上記回転輪21外面へ円板状武器Ｃを、該武器中央部に穿設した嵌合孔61を嵌合させて着脱自在に装着させ、該武器を水平回転させ乍ら車体が前進可能に形成した。【選択図】  図２
2006296854.tif 000002
【特許請求の範囲】
【請求項１】
走行可能に設けた下部車体Ａと、該下部車体上へ載置させた上部車体Ｂとを、スペーサを介して各後部で着脱自在に連結すると共に、
これ等両車体の前部間には下部車体前部から起立させた縦軸７に固着させた回転輪21を介在させて、該回転輪の軸線上方を上部車体の前部下面で着脱自在に支持させ、又該回転輪21の外面へは円板状武器Ｃを、該武器中央部に穿設した嵌合孔61を嵌合させて着脱自在に装着させ、下部車体Ａの走行と共に上記回転輪21を介して円板状武器Ｃが回転可能とした
ことを特徴とする自動走行玩具車。
【請求項２】
上記下部車体Ａ前後の左右下部に従動輪27と駆動輪20とを、又下部車体中間部の下部に旋回輪15を、それぞれ配し、上記従動輪が走行面から脱輪して車体前部が下降することで旋回輪15が接地し車体を旋回させることで従動輪27が走行面上へ復帰可能に形成した
ことを特徴とする請求項１記載の自動走行玩具車。
【請求項３】
上記上部車体Ｂを乾電池、モータを有する原動装置部に、下部車体Ａを駆動輪20、従動輪27、旋回輪15を有する駆動装置部に、それぞれ形成して、上部車体Ｂ前部から垂下させた原動軸45下部を上記回転輪21の上面中心に穿設した軸穴22内へ回動不能に、かつ着脱自在に嵌合させ、又該回転輪を有する縦軸７の回転を駆動軸18へ伝達させた
ことを特徴とする、請求項１または２記載の自動走行玩具。
【請求項４】
上記スペーサーを、下部車体Ａ後部から起立する左右方向へ長い第１矩形状筒23で形成し、又該スペーサー内へ、該スペーサと同形状で上部車体Ｂの後部下面から垂下させた第２矩形状筒49と緊密にかつ抜出し可能に嵌合させた
ことを特徴とする、請求項１、２又は３記載の自動走行玩具車。
【請求項５】
上記第２矩形状筒49上方の上部車体部分と第１矩形状筒の底板24とにそれぞれ第２、第１透孔66、25を穿設すると共に、上端に有する大径の頭部67から垂下させた棒部68下端に係合板69を付設したボルト状体70を、上記頭部67下面を第２透孔66の上面外周へ係合させて第２、第１透孔に通し垂下させ、該ボルト状体回動により係合板69を第１透孔の下面外周へ係合させることで、上下両車体Ｂ，Ａを緊密に連結させることが可能に形成した
ことを特徴とする請求項１、２、３又は４記載の自動走行玩具車。
【発明の詳細な説明】
【技術分野】
【０００１】
本発明は自動走行玩具車に関する。
【背景技術】
【０００２】
車体前後の左右下部へ従動輪と駆動輪とを、又車体中間部の下部に旋回輪をそれぞれ配し、上記従動輪が走行面から脱輪して車体前部が下降したとき、旋回輪が接地し、車体を旋回させることで従動輪が走行面上へ復帰可能に形成し、又車体前部にバトル用の武器を装着させた走行玩具車が知られている（特許文献１）。
【特許文献１】特開２００４−４９６８３号公報。
【発明の開示】
【発明が解決しようとする課題】
【０００３】
上記のようなバトル用の走行玩具車は、武器の交換等或る程度遊戯者に工夫ないし改変余地があると共に、その改変を容易かつ確実に行えることが望まれる。又車体の形状もバトル用に適した特異な形状であり、武器も複数の異なる武器を容易に使い分けでき、かつその交換が容易かつ確実であることが必要である。
【０００４】
本発明はそのような要望を満たすべく発明したものである。
【課題を解決するための手段】
【０００５】
第１の手段として走行可能に設けた下部車体Ａと、該下部車体上へ載置させた上部車体Ｂとを、スペーサを介して各後部で着脱自在に連結すると共に、
これ等両車体の前部間には下部車体前部から起立させた縦軸７に固着させた回転輪21を介在させて、該回転輪の軸線上方を上部車体の前部下面で着脱自在に支持させ、又該回転輪21の外面へは円板状武器Ｃを、該武器中央部に穿設した嵌合孔61を嵌合させて着脱自在に装着させ、下部車体Ａの走行と共に上記回転輪21を介して円板状武器Ｃが回転可能とした。
【０００６】
第２の手段として、上記第１の手段を有すると共に上記下部車体Ａの前後の左右下部に従動輪27と駆動輪20とを、又下部車体中間部の下部に旋回輪15を、それぞれ配し、上記従動輪が走行面から脱輪して車体前部が下降することで旋回輪15が接地し車体を旋回させることで従動輪27が走行面上へ復帰可能に形成した。
【０００７】
第３の手段として、上記第１又は第２の手段を有し、かつ上記上部車体Ｂを乾電池、モータを有する原動装置部に、下部車体Ａを駆動輪20、従動輪27、旋回輪15を有する駆動装置部に、それぞれ形成して、上部車体Ｂ前部から垂下させた原動軸45下部を上記回転輪21の上面中心に穿設した軸穴22内へ回動不能に、かつ着脱自在に嵌合させ、又該回転輪を有する縦軸７の回転を駆動軸18へ伝達させた。
【０００８】
第４の手段として、上記第１、第２又は第３の手段を有し、かつ上記スペーサーを、下部車体Ａ後部から起立する左右方向へ長い第１矩形状筒23で形成し、又該スペーサー内へ、該スペーサと同形状で上部車体Ｂの後部下面から垂下させた第２矩形状筒49と緊密にかつ抜出し可能に嵌合させた。
【０００９】
第５の手段として、上記第１、第２、第３又は第４の手段を有し、かつ上記第２矩形状筒49上方の上部車体部分と第１矩形状筒の底板24とにそれぞれ第２、第１透孔66、25を穿設すると共に、上端に有する大径の頭部67から垂下させた棒部68下端に係合板69を付設したボルト状体70を、上記頭部67下面を第２透孔66の上面外周へ係合させて第２、第１透孔に通し垂下させ、該ボルト状体回動により係合板69を第１透孔の下面外周へ係合させることで、上下両車体Ｂ，Ａを緊密に連結させることが可能に形成した。
【発明の効果】
【００１０】
請求項１のようにすることで、スペーサよりも前方の下部車体Ａと上部車体Ｂとの間に設けた間隙を利用してそれ等両車体前部間の回転輪に嵌合させた円板状武器Ｃを水平回転させることが出来、水平面で回転させるから、闘う相手玩具車への接触範囲を拡げることが出来る。又上記回転輪は直接ないし間接に上下二点を下部車体と上部車体の各前部で支持できるから、円板状武器Ｃが相手玩具車に当ってもその衝撃により回転輪等の軸線がぐらつくことはない。
【００１１】
請求項２のようにすることで、台板上等で相手の玩具車と争わせる場合、その台板外縁から一方玩具車の従動輪が外れてもその玩具車の旋回輪接地による車体旋回で自動的に従動輪は台板上へ復帰し、再び走行を始めるから競技の興味が削がれることがない。
【００１２】
請求項３のようにすることで、下部車体Ａ内からは乾電池、モータ等の原動装置を上部車体内へ移して全体をバランスよく形成できる。上部車体Ｂ前部から垂下させた原動軸45下部を回転軸21の上面中心の嵌合穴22内へ回動不能にかつ着脱自在に嵌合させるから、又上部車体と下部車体とはスペーサとしての第１矩形状筒を介して各後部で着脱自在としているから、それ等上下両車体の着脱を容易かつ確実に行うことが出来る。
【００１３】
請求項４のようにすることで、そのスペーサ前方の上下両車体間の間隙で形成する円板状武器回転用空隙を広くすることが出来、その武器Ｃの直径を大として大形化することが可能となる。
【００１４】
請求項５記載のようにすることで、上下両車体の着脱を容易にかつ確実に行うことが出来る。
【発明を実施するための最良の形態】
【００１５】
以下図面について説明すると、本発明玩具車は、図２が示すように下部車体Ａと、上部車体Ｂと、円板状武器Ｃとの三部材で形成され、これ等三部材は組付けにより図１の玩具車Ｄとすることが出来、該玩具車はスイッチをオンすることで、上下両車体の前部間に装着させた武器Ｃが水平面上で回転し乍ら前進する。下部車体Ａ内には図５が示すように駆動装置が、又上部車体Ｂ内には図６が示すように乾電池、モータ等の原動装置が設けてある。
【００１６】
まず下部車体Ａについて説明すると、該下部車体は図４が倒立状態で示すように下部車体の本体１と該本体下面を閉塞する下蓋２とからなり、これ等は下蓋２の前後両端から起立させた爪付き係合板３を図５が示す本体１の前後両端に設けた嵌合孔４内へ嵌合させると、その爪が嵌合孔上縁へ係合して本体と下蓋とが連結され、又該係合板上端を、係合爪を有しない側へ押込むことでその爪が外れて下蓋２を本体１から外すことが可能としている。
【００１７】
下部車体の本体１は、図４、図５が示すように前後方向へ長い矩形の前後両部を巾狭とし、かつそれ等前後両部よりも巾広かつ中間部よりも巾狭の中間巾とした上壁５外周から周壁６を垂下し、その前部上壁を貫通させて起立させた縦軸７の本体内部分に固定した第１ピニオン８と、片持ち軸として内方突出する軸に嵌合させた第１クラウンギヤ９とを噛合せ、又該クラウンギヤと一体に設けた第１歯車10と第１軸11へ固定した第２歯車12とを、更に該第２歯車12内方へ一体に付設した第２ピニオン13と、前後方向へ設けた第２軸14が有する旋回輪15前面へ固定した第２クラウンギヤ16とを噛合せ、更に又上記第２歯車12外方へ一体に付設した第３歯車17と、下部車体の本体後部へ横設された駆動軸18の第４歯車19とを、複数の減速歯車を介在させて間接に噛合せている。駆動軸18には駆動輪20が固着されている。
【００１８】
既述下部車体の本体１の上壁５の前部上方へ突出する縦軸７部分へは、図４が示すように該縦軸部分を軸とする回転輪21が固着させてあり、該回転軸下端には外向きフランジ21a を付設し又該回転輪の上面中心には六角形状の嵌合穴22を穿設している。該回転輪は円板状武器Ｃを嵌合させるものである。下部車体の本体１の後部上面からは、図２が示すように左右方向へ長いスペーサとしての第１矩形状筒23が起立させており、該第１矩形状筒の底板24にはほぼ長方形状の第１透孔25を穿設している。又図示例では第１矩形状筒23の左右外方を隆起させてそれ等隆起部上面へ補助ピン嵌合用穴26を穿設している。
【００１９】
既述下部車体の下蓋２は、図３が示すようにその前部下壁28に左右方向への軸穴を穿設し、その軸孔に従動輪軸を回転可能に貫通させ、その軸両端へ従動輪27を固着させている。又下蓋２は既述下部車体本体１の上壁と同形状の下壁28を有し、該下壁外周から起立させた下蓋周壁29上面を本体周壁６下端面と突合せして、本体周壁下端面へ穿設した下面開口の複数軸受け30下面を閉塞できるよう設けている。尚下部車体の本体上壁５から垂下させた複数係止板の下面へ穿設した下面開口の軸受けは、下蓋２底壁から起立させた周壁29等の複数受け板の上面で閉塞する。下部車体の下蓋２は図３が示すように下壁28に透孔31を有し、その透孔から旋回輪15下部を下方へ垂下させる。
【００２０】
下部車体本体１下面の閉塞は、図５のように各種歯車等を収納させた状態で、既述のように上記本体前後の嵌合孔４内へ、下部車体下蓋２前後から起立させた爪付き係合板３を嵌合させて行う。
【００２１】
上部車体Ｂは、図６が示すように、上部車体の本体41と該本体上面を開閉する上蓋42とを有し、上部車体本体41はほぼ四角形状に設けた主収納部41a 前面の左右方向中間部から受板41b を前方突出させ、上記主収納部41a の左右両側に乾電池43を収納させ、又該主収納部前部の左右方向中間部にモータ43を固定し、該モータ前面から前方突出する出力軸先端に固着させたべベルギヤ44を、受板41b に貫通させた原動軸45の受板上方部分に固着させたベベルギヤ46と噛合せ、該原動軸45の受板下方部分を六角ピン45a とし、又主収納部41a 後面に左右方向への揺動でオン、オフできるスイッチ47を設けている。更に上記受板41b の基端両側の外方と上記スイッチ左右両側部分とにビス孔48を設けている。更に又図７が示すように主収納部41a の左右方向中間後部の下面からは、既述第１矩形状筒23内面へ緊密に嵌合させ第２矩形状筒49を垂下させており、又該第２矩形状筒49の左右両側外方からは、既述補助ピン嵌合用穴26内へ嵌合させる補助ピン50を垂下させている。
【００２２】
上部車体Ｂの上蓋42は、上記乾電池の交換を容易とするため、上記モータ43、ベベルギヤ44、原動軸45等の上面を閉塞する主上蓋42a と、乾電池覆合用の従上蓋42b とで形成しており、主上蓋42a は既述各ビス孔下面から押込みしたビスの締付けによって本体41に取付けでき、又従上蓋42b は本体41に対する主上蓋42a 取付け状態でそれ等上面へ着脱自在に形成している。
【００２３】
円板状武器Ｃは、図２が示すように、その中心部に既述回転輪21外面へ着脱自在に嵌合できる嵌合孔61有し、該嵌合孔形成筒62外面から放射状に複数の連結板63を突出してこれ等連結板を外リング64内面へ一体に連結し、更に外リング外面から複数の突部65を外方へ突出して形成している。該武器は図１が示すように外向きフランジ21a 上へ嵌合孔形成筒62下端を載置させて回転輪21外面へ嵌合させるが、該嵌合状態でその外周一部が上下両車体Ａ、Ｂの前方へ突出するよう設ける。尚該武器Ｃは大きさ、又外周の突部形状等を異にする複数武器を設けて、これ等を交換できるよう設けるとよい。
【００２４】
既述下部車体Ａと、上部車体Ｂと、円板状武器Ｃとは、まず下部車体Ａの回転輪21外面へ武器Ｃの嵌合孔61を嵌合させておき、回転輪上面中心の六角形状嵌合穴22内へ、上部車体Ｂの前部から垂設させた六角ピン45a を嵌合させると同時に、下部車体後部から起立させた第１矩形状筒23内へ、上部車体後部から垂設した第２矩形状筒49を嵌合させることで組立することが出来る。
【００２５】
下部車体Ａと上部車体Ｂとの連結は、上部車体Ｂの第２矩形状筒49上方部分へ図６が示すように第２透孔66を穿設し、該第２透孔66に、上端に設けた大径の頭部67から棒部68を垂下し、該棒部下端に係合板69を付設させたボルト状体70を、頭部67の下面外周を第２透孔66の上面外周へ嵌合させて第２矩形状筒49および第１矩形状筒23内に通し垂下させ、又第１矩形状筒の底板に穿設した第１透孔25内を通して垂下させ、ボルト状体70回動により係合板69が第１透孔25の下面外周へ係合して上下両車体が緊密に嵌合可能とする、該係合が可能とするため、上記第１、第２透孔はそれぞれ長径部分と短径部分とを有し、それ等の各長径部分を通って係合板69が上下動可能とし、ボルト状体回動で係合板先端が第１透孔の短径部分外方の下面へ係合するよう設ける。尚頭部67上面へは直径方向へコイン等嵌合用の溝71を穿設し、該溝内へコイン外周を嵌合させて、ボルト状体を回動できるよう設けている。
【００２６】
既述下部車体Ａ，上部車体Ｂ、武器Ｃを組付けた図１が示す状態から、スイッチ47をオンすることで図６が示す、モータ43の出力軸先端のピニオンギヤ44が回転し、該ピニオンギヤと噛合うベベルギヤ46を有する原動軸45が回転し、該原動軸下端の六角ピン45a を嵌合させた六角形状の嵌合穴22を上面中心に有する回転輪21が図５が示す縦軸７と共に回転し、該縦軸に固着された第１ピニオン８が回転することで、既述複数歯車を介して旋回輪15、および駆動輪20が回され、該駆動輪および従動輪27が回転することで玩具車は前進し、又上記回転輪21が回転することで武器Ｃも回転する。上記旋回輪15は玩具車前進時は接地せず、空転しているが、従動輪27が走行面から脱輪して玩具車前部が下降したとき接地して玩具車前部を旋回輪回転方向へ旋回させ、該旋回により従動輪27が走行面へ復帰することで再び走行を開始するものである。
【００２７】
尚上記脱輪時における玩具車の旋回方向および武器Ｃの回転方向は、歯車の噛合せを変えることで、自由に変えることが出来る。
【図面の簡単な説明】
【００２８】
【図１】本発明玩具車の斜視図である。
【図２】図１玩具車の分解斜視図である。
【図３】図２に示されている下部車体を下方からみた斜視図である。
【図４】図３が示す下部車体を更に分解して示す斜視図である。
【図５】図３に示されている下部車体の本体を下方からみた図面である。
【図６】図２の上方に示されている上部車体の分解斜視図である。
【図７】上部車体を下方からみた斜視図である。
【符号の説明】
【００２９】
Ａ  下部車体                        Ｂ  上部車体
Ｃ  武器                            １  下部車体の本体
２  下部車体の下蓋                  ３  爪付き係合板
４  嵌合孔                          ７  縦軸
15  旋回輪                          18  駆動軸
20  駆動輪                          23  第１矩形状筒
27  従動輪                          41  上部車体の本体
43  モータ                          45  原動軸                          
49  第２矩形状筒                    70  ボルト状体
【図１】
2006296854.tif 000003
【図２】
2006296854.tif 000004
【図３】
2006296854.tif 000005
【図４】
2006296854.tif 000006
【図５】
2006296854.tif 000007
【図６】
2006296854.tif 000008
【図７】
2006296854.tif 000009